(57)【要約】【課題】 接続箱より太陽電池モジュール側に逆流防止ダイオードを設置することで、接続箱に逆流防止ダイオードを組み込む必要を無くした太陽光発電装置を提供する。【解決手段】  複数の太陽電池モジュール１０が連結されてなる太陽電池アレイ１を複数有し、それぞれの太陽電池アレイ１の発電電力出力部１ａに逆流防止ダイオード４を介してケーブル５を接続し、このケーブル５の先を接続箱２に接続し、接続箱２において１つに集約した電力がパワーコンディショナ３において交流電力に変換される。接続箱２には、開閉器２１、集電回路２２、避雷回路２３が組み込まれ、逆流防止ダイオード４は組み込まない。【選択図】  図１
2018098996.tif 000002
【特許請求の範囲】
【請求項１】
複数の太陽電池モジュールを連結した太陽電池モジュールの集合体を複数有し、それぞれの前記集合体の発電電力がケーブルにより送出されて、接続箱において送出された個々の前記集合体の発電電力が１つに集約され、集約された太陽光発電電力がパワーコンディショナにおいて交流電力に変換される太陽光発電装置であって、
前記集合体の発電電力出力部と前記接続箱との間に、前記太陽電池モジュールへ電流が逆流するのを防止する逆流防止ダイオードを配置して成ることを特徴とする太陽光発電装置。
【請求項２】
前記逆流防止ダイオードは、前記集合体と前記ケーブルの接続部に配置されて成ることを特徴とする請求項１記載の太陽光発電装置。
【請求項３】
前記接続箱には、前記ケーブル毎に発電電力の伝送をオン／オフ操作する複数の開閉器と、前記複数のケーブルの出力を１出力に集電する集電回路とが組み込まれ、前記逆流防止ダイオードを組み込まないことを特徴とする請求項１又は２記載の太陽光発電装置。
【発明の詳細な説明】
【技術分野】
【０００１】
本発明は、複数の太陽電池モジュールによる発電電力を交流に変換して送出する太陽光発電装置に関する。
【背景技術】
【０００２】
太陽光発電装置は、複数の太陽電池モジュールで発電された直流電力が接続箱で出力が１つに集約されて、交流電力に変換するためのパワーコンディショナに送られる。
そして、ここで使用される接続箱には、発電電力を１つに集約する集電回路に加えて、太陽電池モジュールをパワーコンディショナ等の回路から切り離すための開閉器、雷から保護するための避雷回路、更には太陽電池に電流が逆流するのを防止する逆流防止ダイオード等が組み込まれた（例えば、特許文献１参照）。
【先行技術文献】
【特許文献】
【０００３】
【特許文献１】特開２０１６−１５２６５６号公報
【発明の概要】
【発明が解決しようとする課題】
【０００４】
上述したように、接続箱には逆流防止ダイオードが組み込まれるが、この逆流防止ダイオードは発熱する素子である為、接続箱は内部空間を大きくする等の放熱のための対策が必要であった。そのため、収容する機器に比べて大きな箱となり、小型化には限界があった。
しかし、逆流防止ダイオードは、太陽電池モジュールへの電流の逆流を防止できれば良く、必ずしも接続箱に組み込む必要は無い。また、接続箱の外に設ければ接続箱に対して放熱を考慮する必要が無くなるため、無理なく小型化が可能となる。
【０００５】
そこで、本発明はこのような観点から、接続箱より太陽電池モジュールに近い位置に逆流防止ダイオードを設置することで、接続箱に逆流防止ダイオードを組み込む必要を無くした太陽光発電装置を提供することを目的としている。
【課題を解決するための手段】
【０００６】
上記課題を解決する為に、請求項１の発明は、 複数の太陽電池モジュールを連結した太陽電池モジュールの集合体を複数有し、それぞれの集合体の発電電力がケーブルにより送出されて、接続箱において送出された個々の集合体の発電電力が１つに集約され、集約された太陽光発電電力がパワーコンディショナにおいて交流電力に変換される太陽光発電装置であって、集合体の発電電力出力部と接続箱との間に、太陽電池モジュールへ電流が逆流するのを防止する逆流防止ダイオードを配置して成ることを特徴とする。
この構成によれば、逆流防止ダイオードが太陽電池モジュールの集合体の発電電力出力部と接続箱との間に配置されるため、接続箱内に逆流防止ダイオードを収納する必要が無くなる。よって、接続箱の小型化が可能となる。
【０００７】
請求項２の発明は、請求項１に記載の構成において、逆流防止ダイオードは、集合体とケーブルの接続部に配置されて成ることを特徴とする。
この構成によれば、逆流防止ダイオードを太陽電池モジュールの裏側に組み付けることができ、特別な雨水対策をすること無く組み付けできる。
【０００８】
請求項３の発明は、請求項１又は２に記載の構成において、接続箱には、ケーブル毎に発電電力の伝送をオン／オフ操作する複数の開閉器と、複数のケーブルの出力を１出力に集電する集電回路とが組み込まれ、逆流防止ダイオードを組み込まないことを特徴とする。
この構成によれば、従来収納していた逆流防止ダイオードを収納しないため、接続箱は放熱を考慮する必要がなく無理なく小型化できる。
【発明の効果】
【０００９】
本発明によれば、逆流防止ダイオードが接続箱の太陽電池モジュール側に配置されるため、接続箱内に逆流防止ダイオードを収納しなくても良い。よって、接続箱の小型化が可能となる。
【図面の簡単な説明】
【００１０】
【図１】太陽光発電装置の一例を示す構成図である。
【図２】太陽光発電装置の他の例を示す構成図である。
【発明を実施するための形態】
【００１１】
以下、本発明を具体化した実施の形態を、図面を参照して詳細に説明する。図１は本発明に係る太陽光発電装置の一例を示し、１は太陽電池アレイ、２は接続箱、３はパワーコンディショナ、４は逆流防止ダイオードである。
太陽電池アレイ１は太陽電池モジュール１０の集合体であり、複数の太陽電池モジュール１０を直列に接続して形成された太陽電池ストリング１１が複数並列接続されて構成されている。この太陽電池アレイ１により、個々の太陽電池モジュール１０で発電された電力がまとめられて、正極ケーブル５ａと負極ケーブル５ｂから成る１組のケーブル５により出力される。
【００１２】
そして、この太陽電池アレイ１を複数備えており、それぞれケーブル５により発電電力が出力される。このケーブル５の先は全て接続箱２に接続され、接続箱２において個々の太陽電池アレイ１の発電電力が１つの出力に集約されて出力される。集約された電力は、同様に正極、負極から成る１組のケーブル６でパワーコンディショナ３に送られる。
【００１３】
接続箱２は、開閉器２１と、集電回路２２、避雷回路２３が組み込まれており、開閉器２１は各ケーブル５に対して、即ち各太陽電池アレイ１に対して設置され、接続箱２内にケーブル５が引き込まれて接続されている。開閉器２１により、ケーブル５で構成される電路のオン／オフ操作が可能となっている。
集電回路２２は、ケーブル或いは銅バーで構成され、個々のケーブル５により送られてきた電力が１つに集約される。また、集約された先には避雷回路２３が接続され、その後ケーブル６により接続箱２から引き出され、パワーコンディショナ３に送られる。
【００１４】
パワーコンディショナ３では、太陽電池アレイ１から送られてきた直流電力が交流電力に変換され、個々の太陽電池モジュール１０が発電した電力が、商用電力に連系可能な交流電力に変換される。
【００１５】
そして、逆流防止ダイオード４は、太陽電池アレイ１の出力部（発電電力出力部）１ａに配置され、逆流防止ダイオード４を介してケーブル５が出力部１ａに接続される。尚、、逆流防止ダイオード４は１組のケーブル５のうち正極ケーブル５ａ対して配置され、個々の太陽電池アレイ１に対して１つ設置されている。
【００１６】
このように、従来は接続箱２に収容していた逆流防止ダイオード４が太陽電池アレイ１の出力部１ａで、ケーブル５との接続部に設置されるため、接続箱２に逆流防止ダイオード４を組み込む必要が無くなる。よって、接続箱２には放熱を考慮する機器が無くなるため、無理なく小型化できる。また、逆流防止ダイオード４を太陽電池モジュール１０の裏側に組み付けることができ、特別な雨水対策をすること無く組み付けできる。
更に逆流防止ダイオード４は、太陽電池アレイ１毎に１つ設置されるため、複数の逆流防止ダイオード４が近接配置されることが無く、簡易な放熱対策で済む。
【００１７】
図２は太陽光発電装置の他の例を示し、図１とは逆流防止ダイオード４の設置位置が異なっている。図２では、太陽電池アレイ１から接続箱２に配設されたケーブル５の途中に逆流防止ダイオード４を配置している。このように、接続箱２より太陽電池アレイ１側であればケーブル５の途中に設けても良い。
【００１８】
尚、上記実施形態では、１つの太陽電池アレイ１に対して１つの逆流防止ダイオード４を設置しているが、太陽電池アレイ１を形成せずに個々の太陽電池ストリング１１が接続箱２にケーブル５を介して接続される構成の場合は、太陽電池ストリング１１を太陽電池モジュール１０の集合体として、太陽電池ストリング１１毎に逆流防止ダイオード４を設置すれば良い。
また、接続箱２には逆流防止ダイオード４を組み込んでいないが、接続箱２にも従来と同様に逆流防止ダイオード４を配置して二重に逆流防止ダイオード４を配置しても良く、逆流防止ダイオード４の故障に強い装置とすることができる。
【符号の説明】
【００１９】
１・・太陽電池アレイ、１ａ・・出力部（発電電力出力部）、２・・接続箱、３・・パワーコンディショナ、４・・逆流防止ダイオード、５・・ケーブル、５ａ・・正極ケーブル、５ｂ・・負極ケーブル、１０・・太陽電池モジュール、１１・・太陽電池ストリング、２１・・開閉器、２２・・集電回路、２３・・避雷回路。
【図１】
2018098996.tif 000003
【図２】
2018098996.tif 000004